(57)【要約】  回転電機（１）の端子台（１０）は、端子台本体（１３）と、回転電機（１）の強電線（４）を接続する強電線接続部（１７）と、回転電機（１）の中性線（５）を接続する複数の中性線接続部（１８）と、複数の中性線接続部（１８）同士を接続するバスバー（２１）と、を備える。
2017033298.tif 000002
【特許請求の範囲】
【請求項１】
端子台本体と、
回転電機の強電線を接続する強電線接続部と、
前記回転電機の中性線を接続する複数の中性線接続部と、
前記複数の中性線接続部同士を接続するバスバーと、を備える
ことを特徴とする回転電機の端子台。
【請求項２】
前記端子台本体は、前記強電線接続部と前記バスバーとの間に設けられる仕切壁を有し、
前記仕切壁は、電気的絶縁性を有する材料により構成される
ことを特徴とする請求項１に記載の回転電機の端子台。
【請求項３】
前記端子台本体は、前記バスバーを固定する固定部を有し、
前記端子台本体には、バスバー挿入用のスリットが形成されている
ことを特徴とする請求項１又は２に記載の回転電機の端子台。
【請求項４】
前記端子台本体は、前記スリットを塞ぐ蓋部材を有する
ことを特徴とする請求項３に記載の回転電機の端子台。
【請求項５】
前記端子台本体は、前記バスバーを固定する固定爪を有する
ことを特徴とする請求項１又は２に記載の回転電機の端子台。
【発明の詳細な説明】
【技術分野】
【０００１】
本発明は、回転電機の端子台に関する。
【背景技術】
【０００２】
従来から、電動機や発電機等として用いられる回転電機が公知である（例えば、特許文献１参照）。【０００３】
スター結線（Ｙ結線）の並列回路を複数有する回転電機においては、回路の中性点同士を連結する構成とすることがある。その場合、中性点の電位が回路間で均一化されるので、磁束が回路間で均一化される効果が得られる。【０００４】
特許文献１に記載の回転電機においては、円弧状に形成されたバスバーを用いて、回路の中性点同士を連結している。バスバーは、回転電機の中性点側引出線との接続部を有しており、回転電機のコイルエンド部に配置される。
【先行技術文献】
【特許文献】
【０００５】
【特許文献１】特開２００９−１２４９０２号公報
【発明の概要】
【発明が解決しようとする課題】
【０００６】
特許文献１に記載の回転電機においては、バスバーが回転電機のコイルエンド部に配置されるため、バスバーの保持が不安定になり易いという問題があった。【０００７】
そこで、本発明は、回路の中性点同士を連結するバスバーの保持の安定性を向上することができる回転電機の端子台を提供することを目的とする。
【課題を解決するための手段】
【０００８】
本発明に係る回転電機の端子台は、回転電機の中性線を接続する複数の中性線接続部と、複数の中性線接続部同士を接続するバスバーと、を備える。
【発明の効果】
【０００９】
本発明に係る回転電機の端子台によれば、バスバーの保持の安定性を向上することができる。
【図面の簡単な説明】
【００１０】
【図１】図１は、本発明の第一実施形態に係る端子台を有する回転電機の斜視図である。
【図２】図２は、本発明の第一実施形態に係る端子台の斜視図である。
【図３】図３は、本発明の第一実施形態に係る端子台の分解斜視図である。
【図４】図４は、本発明の第一実施形態に係る端子台の平面図である。
【図５】図５は、図４のＡ−Ａ線に沿う断面図である。
【図６】図６は、本発明の第二実施形態に係る端子台の斜視図である。
【図７】図７は、本発明の変形例に係る端子台の斜視図である。
【発明を実施するための形態】
【００１１】
以下、本発明の実施形態を図面とともに詳述する。
【００１２】
［第一実施形態］
本発明の第一実施形態に係る端子台を図１から図５に基づいて説明する。
【００１３】
回転電機１は、電動機（モータ）や発電機（ジェネレータ）等の回転電機（回転電気機械）に用いられるものである。回転電機１は、例えば三相の極を有する電動機である。
【００１４】
図１に示すように、回転電機１は、ハウジング２と、ハウジング２に収容されるステータ３と、ステータ３の内方に配設されるロータ（図示せず）と、を備える。ステータ３は、円筒形状に形成され、内周側に等しい角度間隔で形成されたスロットにＵ相、Ｖ相、Ｗ相からなる複数相のコイルが巻き回される。ステータ３は、各相のコイルから引き出された複数（本実施形態では、三本）の強電線（引出線）４を有する。Ｕ相、Ｖ相、Ｗ相の強電線４とは別に中性相、すなわちアースに相当する複数（本実施形態では、二本）の中性線（引出線）５もステータ３の端面に引き出される。Ｕ相、Ｖ相、Ｗ相の各強電線４の先端には端子６がそれぞれ固定され、中性相の各中性線５の先端には端子７がそれぞれ固定される。
【００１５】
回転電機１は、ハウジング２の端面に固定される端子台（バスバー内蔵端子台）１０Ａを備える。端子台１０Ａは、貫通孔１１（図２から図４参照）を貫通するボルト１２によりハウジング２に固定される。
【００１６】
図２から図５に示すように、端子台１０Ａの端子台本体１３は、金属製のベース部１４に、樹脂製の被覆部１５を組み付けて構成されている。ベース部１４と被覆部１５との間には、ベース部１４が被覆部１５に直接接触しないようにするために、高熱伝導樹脂製の絶縁板１６が配設されている。ベース部１４は、例えばアルミニウムにより構成され、被覆部１５は、例えばＰＰＳ樹脂により構成される。絶縁板１６は、被覆部１５を構成する樹脂材料とは別の樹脂材料により構成され、この別の樹脂材料は、電気的絶縁性を有すると共に、被覆部１５を構成する樹脂材料よりも熱伝導性が高い材料からなる。
【００１７】
端子台本体１３には、Ｕ相、Ｖ相、Ｗ相の各強電線４の端子６をそれぞれ電気的に接続するＵ相、Ｖ相，Ｗ相の三個の強電線接続部１７と、中性相の中性線５の端子７をそれぞれ電気的に接続する中性相の二個の中性線接続部１８とが並んで配設されている。具体的には、三個の強電線接続部１７が端子台本体１３の中央部分に配設され、二個の中性線接続部１８が三個の強電線接続部１７を間に挟んで端子台本体１３の端部にそれぞれ配設されている。強電線接続部１７及び中性線接続部１８には、ボルト孔１９，２０がそれぞれ形成される。強電線接続部１７及び中性線接続部１８は、導電性を有する材料により構成される。強電線接続部１７と被覆部１５との結合は、インサート成形であってもよく、圧入であってもよい。同様に、中性線接続部１８と被覆部１５との結合は、インサート成形であってもよく、圧入であってもよい。
【００１８】
端子台本体１３には、二個の中性線接続部１８同士を電気的に接続するバスバー２１が配設されている。バスバー２１は、直線状に延在する第一導体部２１ａと、第一導体部２１ａの両端部から直交方向にそれぞれ延在する第二導体部２１ｂとを有しており、平面視でＵ字形状に形成される。バスバー２１の形状は、強電線接続部１７及び中性線接続部１８に干渉しない形状であればよく、平面視でＵ字形状には限定されない。バスバー２１の第二導体部２１ｂの先端には、貫通孔２２がそれぞれ形成される。バスバー２１は、例えば銅により構成される。
【００１９】
また、端子台本体１３は、バスバー２１、強電線接続部１７及び中性線接続部１８を配設する空間を区画する枠部２３と、強電線接続部１７とバスバー２１との間に設けられる仕切壁２４と、隣接する強電線接続部１７間に設けられる仕切壁２５と、を有する。枠部２３及び仕切壁２４は、平面視でＵ字形状に形成されている。枠部２３及び仕切壁２４，２５は、端子台本体１３の被覆部１５に一体的に形成されている。すなわち、枠部２３及び仕切壁２４，２５は、電気的絶縁性を有する材料により構成される。
【００２０】
また、端子台本体１３は、バスバー２１を固定する固定部２６を有し、端子台本体１３には、バスバー挿入用のスリット２７が形成されている。固定部２６は、枠部２３と仕切壁２４との間に架け渡して設けられており、固定部２６と端子台本体１３の被覆部１５との間にバスバー２１の第二導体部２１ｂを挿通することにより、バスバー２１が端子台本体１３に対して固定されるようになっている。
【００２１】
さらに、端子台本体１３は、スリット２７を塞ぐ樹脂製の蓋部材２８を有する。蓋部材２８は、例えば、被覆部１５を構成する樹脂材料と同じ樹脂材料により構成される。固定部２６と端子台本体１３の被覆部１５との間にバスバー２１の第二導体部２１ｂを挿通した状態で、蓋部材２８を端子台本体１３に取り付ける。このようにすることにより、バスバー２１は、図４に示すように、蓋部材２８と被覆部１５に一体的に形成した突起部２９との間に位置決めされる。
【００２２】
回転電機１の組立時において、強電線接続部１７のボルト孔１９にボルト３０を螺合して、強電線４の端子６とインバータのバスバー（図示せず）とを強電線接続部１７に共締めする。その一方で、中性線接続部１８のボルト孔２０にボルト３１を螺合して、中性線５の端子７とバスバー２１とを共締めする。このようにすることにより、回転電機１の強電線４と強電線接続部１７とが電気的に接続されると共に、回転電機１の中性線５と中性線接続部１８とが電気的に接続される。
【００２３】
以下に、本実施形態による作用効果を説明する。
【００２４】
（１）本実施形態に係る端子台１０Ａは、端子台本体１３と、回転電機１の強電線４を接続する強電線接続部１７と、回転電機１の中性線５を接続する複数の中性線接続部１８と、複数の中性線接続部１８同士を接続するバスバー２１と、を備える。
【００２５】
本実施形態に係る端子台１０Ａは、バスバー２１が内蔵される構造であると共に、回転電機１のハウジング２に固定される。端子台１０Ａの取付部であるハウジング２自体にある程度の剛性があるため、端子台１０Ａはハウジング２に対して強固に固定される。その一方で、バスバー２１の取付部である端子台１０Ａ自体にもある程度の剛性があるため、バスバー２１は端子台１０Ａに対して強固に固定される。その結果、バスバー２１の保持の安定性が向上し、回転電機１を移動機器等の振動や衝撃入力の大きい分野にも適用することが可能になる。
【００２６】
従って、本実施形態に係る回転電機１の端子台１０Ａによれば、バスバー２１の保持の安定性を向上することができる。
【００２７】
（２）端子台本体１３は、強電線接続部１７とバスバー２１との間に設けられる仕切壁２４を有し、仕切壁２４は、電気的絶縁性を有する材料により構成される。
【００２８】
強電線接続部１７とバスバー２１との間の仕切壁２４により、強電線接続部１７とバスバー２１との電気的絶縁性が確保されるため、強電線接続部１７とバスバー２１との間隔を狭くすることが可能になり、端子台１０Ａを小型化することができる。
【００２９】
（３）端子台本体１３は、バスバー２１を固定する固定部２６を有し、端子台本体１３には、バスバー挿入用のスリット２７が形成されている。
【００３０】
中性線５を中性線接続部１８に接続するまでの間、バスバー２１が端子台本体１３から外れなくなるため、端子台１０Ａの回転電機１への組付性を向上することができる。また、バスバー挿入用のスリット２７が端子台本体１３に形成されているため、バスバー２１を固定部２６に固定し易くなる。
【００３１】
（４）端子台本体１３は、スリット２７を塞ぐ蓋部材２８を有する。
【００３２】
スリット２７を蓋部材２８により塞ぐため、蓋部材２８の外側にある部品とバスバー２１との電気的絶縁性が確保されるとともに、バスバー２１が端子台本体１３に保持されるようになる。
【００３３】
［第二実施形態］
本発明の第二実施形態に係る端子台を図６に基づいて説明する。なお、前述の第一実施形態と同一の部分は同一符号を付することによってその説明を省略する。
【００３４】
図６に示すように、端子台１０Ｂの端子台本体１３は、バスバー２１を固定する固定爪３２を有する。固定爪３２の外面部には、傾斜部３３が形成されている。バスバー２１を端子台本体１３の外方から固定爪３２に押し付けて装着する際に、固定爪３２の傾斜部３３が固定爪３２にバスバー２１の第二導体部２１ｂがはまり込む際の誘いになり、装着し易くすることができる。バスバー２１を固定爪３２にはまり込むように取り付けることにより、バスバー２１は、図６に示すように、被覆部１５に一体的に形成した突起部３４により位置決めされる。
【００３５】
以下に、第二実施形態による作用効果を説明する。
【００３６】
第二実施形態に係る端子台１０Ｂにおいては、端子台本体１３は、バスバー２１を固定する固定爪３２を有する。
【００３７】
中性線５を中性線接続部１８に接続するまでの間、バスバー２１が端子台本体１３から外れなくなるため、端子台１０Ｂの回転電機１への組付性を向上することができる。また、バスバー２１を固定爪３２に押し付けることで、固定爪３２が弾性変形してバスバー２１がはまり込むため、バスバー２１を固定爪３２に容易に固定することができる。
【００３８】
以上、実施形態に沿って本発明の内容を説明したが、本発明はこれらの記載に限定されるものではなく、種々の変形及び改良が可能であることは、当業者には自明である。
【００３９】
例えば、図７に示すように、固定部２６及び固定爪３２を省略してもよい。その場合、部品輸送時等には、バスバー２１は、ボルト３１を用いて中性線接続部１８に仮締め（固定）しておくようにしてもよい。また、図示はしないが、強電線接続部１７とバスバー２１との間隔を十分に確保できる場合等には、仕切壁２４，２５を省略することも可能である。
【符号の説明】
【００４０】
１  回転電機
４  強電線
５  中性線
１０  端子台
１３  端子台本体
１７  強電線接続部
１８  中性線接続部
２１  バスバー
２４  仕切壁
２６  固定部
２７  スリット
２８  蓋部材
３２  固定爪
【図１】
2017033298.tif 000003
【図２】
2017033298.tif 000004
【図３】
2017033298.tif 000005
【図４】
2017033298.tif 000006
【図５】
2017033298.tif 000007
【図６】
2017033298.tif 000008
【図７】
2017033298.tif 000009
【手続補正書】
【提出日】平成28年5月17日(2016.5.17)
【手続補正１】
【補正対象書類名】特許請求の範囲
【補正対象項目名】全文
【補正方法】変更
【補正の内容】
【特許請求の範囲】
【請求項１】
端子台本体と、
回転電機の強電線を接続する強電線接続部と、
前記回転電機の中性線を接続する複数の中性接続部と、
前記複数の中性線接続部同士を接続するバスバーと、を備え、
前記端子台本体は、前記強電線接続部と前記バスバーとの間に設けられる仕切壁を有し、
前記仕切壁は、電気的絶縁性を有する材料により構成される
ことを特徴とする回転電機の端子台。
【請求項２】
前記端子台本体は、前記バスバーを固定する固定部を有し、
前記端子台本体には、バスバー挿入用のスリットが形成されている
ことを特徴とする請求項１に記載の回転電機の端子台。
【請求項３】
前記端子台本体は、前記スリットを塞ぐ蓋部材を有する
ことを特徴とする請求項２に記載の回転電機の端子台。
【請求項４】
前記端子台本体は、前記バスバーを固定する固定爪を有する
ことを特徴とする請求項１に記載の回転電機の端子台。
【国際調査報告】
2017033298.tif 000010
2017033298.tif 000011
2017033298.tif 000012
2017033298.tif 000013